(57)【要約】      （修正有）【課題】履物の履用をより快適なものにすることができる履物用インソールを提供する。【解決手段】インソールの足裏に当接する側の部位を成形する透明又は半透明な軟質の第一ジェル体と、第一ジェル体の下側に積層して、インソールの中底に当接する側の部位を成形する、透明又は半透明な該第一ジェル体より硬質の第二ジェル体とからなり、第二ジェル体の下面にハニカム型凹構造物を形成してなる。【選択図】図１
0003166083.tif 000002
【実用新案登録請求の範囲】
【請求項１】
履物の中底上に敷いて使用されるインソールにおいて、
インソールの足裏に当接する側の部位を成形する透明又は半透明な軟質の第一ジェル体と、
該第一ジェル体の下側に積層して、インソールの中底に当接する側の部位を成形する、透明又は半透明な該第一ジェル体より硬質の第二ジェル体とからなり、
そして、該第二ジェル体の下面にハニカム型凹構造物を形成してなる、
インソール。
【請求項２】
インソールの爪先寄りの部位に複数の貫通孔を設け、かつ、インソールの下面に該貫通孔の近くに隆起部を設けてなることを特徴とする、請求項１に記載のインソール。
【請求項３】
インソールの足裏に当接する側の表面に、大きさの異なる２種類以上の凸部を、各々を複数個設けてなることを特徴とする、請求項１又は２に記載のインソール。
【請求項４】
前記第二ジェル体の上面と前記第一ジェル体の下面との間に文字又は図柄からなる識別マーカーを設けてなる、請求項１乃至３に記載のインソール。
【考案の詳細な説明】
【技術分野】
【０００１】
本考案は履物の中底上に敷いて使用されるインソールに関し、詳細には、履物の見栄えを損なわず、かつ、足への衝撃を緩和することで、より快適な履用を達成すべく改良されたジェルタイプのインソールに関する。
【背景技術】
【０００２】
履物の履用時の足への負担を軽減するために、クッション性、土踏まず部の支持、足のずれ防止等の機能を有する各種のインソールが提案されている。従来のこれらインソールとしては、例えば、発泡ウレタン等のクッション性の高い材料を成形したものか、又はその発泡ウレタン等を布帛等で被覆したもの等が知られている。
一方、特に、女性に愛好される履物として、ヒールの付いたサンダル、ミュール、パンプス等がある。これらのヒール付履物は、歩行時に接地する踵の面積が狭いため、踵部分により大きな衝撃が加わり、ヒールのない履物に比べて足への負担が大きい。また、これらヒール付履物にインソールを入れたものを履用した場合、足裏がインソール面上を前方へと滑りやすく、足先が履物の前方部に偏りやすいため、足の痛みが生じ、さらには外反母趾やハンマートウなどの障害が生じるおそれがある。
また、サンダルやミュール等は、インソールを備えた場合、インソール全体が露出するタイプの履物である。そのため、この種の用途向けの従来のインソールにあっては、見栄えが悪くファッション性が良くないという問題があった。
【０００３】
ところで、近年、衝撃を吸収するための踵パッド、土踏まずのアーチを支えるための土踏まずパッド、足の滑りを止めるための爪先用パッドであって、何れも、透明なエラストマーから形成されたものが提案されている（特許文献１参照）。
【先行技術文献】
【特許文献】
【０００４】
【特許文献１】特開２００４−１９４７３４号公報
【考案の概要】
【考案が解決しようとする課題】
【０００５】
しかし、従来のパッドは、透明とはいえ履物中底のパッドをつけている部分とつけていない部分とは、はっきりと区別されるため、特に履物を脱いだ際には、パッドをつけていること、つまりパッドの存在が目立ってしまうため、ファッション性において具合の良くないものであった。さらに、踵部位、土踏まず部位、さらに爪先部位にそれぞれパッドをつけるのは、手間がかかるという問題がある。
そこで、インソールが露出したサンダル等に敷いてもファッション性を損なわない、足の負担を軽減する透明なインソールが求められている。
【０００６】
ここで、上述したパッドの材料に用いる透明エラストマーを単に足裏全体に及ぶ大きさのものに、つまりインソール形状の大きさのものに成形したとしても、望ましい機能を有したインソールを必ずしも得ることができない。
例えば、インソール全体が軟質の透明エラストマーで成形されると、履用時に足裏全体が不安定になり、バランスをとるために足に力が入ってしまい、反って足への疲労が増大してしまうという問題が生じる。さらに、土踏まず部のアーチ形状も軟らかいエラストマーで形成されると、土踏まず部を充分に支えられず、長時間の履用で足本来の持つ衝撃吸収力が低下し足への負担が増大するという問題も生じる。
一方、インソールを硬質な透明エラストマーで成形した場合、不安定感はなくなるが、
足当たりが悪くなり、かつ、歩行時の足、特に踵への衝撃を吸収できず足への負担がかかるという問題が生じる。
そのため、透明エラストマーから足裏全体の大きさのものに成形したインソールでは、衝撃吸収性、足あたりのよさ、土踏まずの支持、安定感といった要求を全て満足させることは困難である。
さらに、足裏全体が透明なエラストマーからなるインソールの場合は、足裏全体が足裏と密着性の良いエラストマーと接することになるため、足裏が蒸れやすく、長時間の履用により不快感が生じるのみでなく、臭いの発生及び水虫等の皮膚病の原因になりえるという、新たな問題が生じる。
さらに、足裏全体が摩擦係数の少ないエラストマーと接すると、足裏がインソール面上をより滑やすくなりずれやすくなるという、新たな問題が生じる。
【０００７】
本考案は、係る事情を考慮してなされたものであって、その目的とするところは、インソールを敷いた履物の履用時、見栄えがよく、足に加わる衝撃を従来に比して格段に緩和させることができ、土踏まず部を支持でき、足が蒸れることなく、さらに履物の中で足が滑って爪先側に偏るのを防止でき、よって履物の履用をより快適なものにすることができる履物用インソールを提供することである。
【課題を解決するための手段】
【０００８】
本考案は、履物の中底上に敷いて使用されるインソールにおいて、
インソールの足裏に当接する側の部位を成形する透明又は半透明な軟質の第一ジェル体と、
該第一ジェル体の下側に積層して、インソールの中底に当接する側の部位を成形する、透明又は半透明な該第一ジェル体より硬質の第二ジェル体とからなり、
そして、該第二ジェル体の下面にハニカム型凹構造物を形成してなる、
インソールに関する。
【考案の効果】
【０００９】
本考案のインソールは、足裏形状の全体が透明なジェル体一つで構成されているため、サンダル等のインソールの露出した履物の中底上に敷いても、見栄えがよく、ファッション性を損なわない。
また、本考案のインソールは、軟質な第一ジェル体及び該第一ジェル体より硬質でハニカム型凹型構造物を形成した第二ジェル体から構成されているため、履物の中底上に敷いて使用した場合、安定した履き心地を有し、歩行時の衝撃を吸収することができる。
さらに、本考案のインソールを履物の中底上に敷いて使用した場合、インソール表面を足裏が滑って履物の中で足がずれることを防ぐことができる。また、通気性が良いため、足が蒸れずに長時間快適に履用できる。
【図面の簡単な説明】
【００１０】
【図１】図１は実施例１のインソールの側面図である。
【図２】図２（ａ）は実施例１のインソールの背面図であり、図２（ｂ）は実施例１のインソールの正面図である。
【図３】図３は図２（ｂ）におけるｅ−ｅ’断面図である。
【図４】図４（ａ）は図２（ａ）におけるａ−ａ’断面図であり、図４（ｂ）は図２（ｂ）におけるｂ−ｂ’断面図であり、図４（ｃ）は図２（ｂ）におけるｃ−ｃ’断面図であり、図４（ｄ）は図２（ｂ）におけるｄ−ｄ’断面図である。
【図５】図５は図２（ａ）における丸枠ｆ部分の拡大図である。
【考案を実施するための形態】
【００１１】
本考案のインソールは、足裏に当接する側の部位を成形する、透明又は半透明な軟質の
第一ジェル体と、その下側の中底に当接する側の部位を成形する、その下面にハニカム型凹構造物を形成した、透明又は半透明な該第一ジェル体より硬質の第二ジェル体とを、積層したものである。
【００１２】
本考案のインソールをサンダル、ミュール等のインソール部分が露出する履物に敷いた場合でも、履物の中底の表面全体が透明又は半透明な一つのインソールのみで被われることになるので、履物の見栄えは損なわれない。また、本考案のインソールはパッド等と異なり、履物の中底の表面全体を被うので、第一ジェル体及び第二ジェル体又はその一方を着色したものであっても意匠性に優れる。加えて、装飾のために、成形上問題が無い範囲で金属箔等のグリッターを混入して、ラメ入りのインソールにすることができる。
【００１３】
第一ジェル体及び第二ジェル体は透明又は半透明の粘着性ジェルからなる。
透明又は半透明のジェルとしては、アクリル系樹脂、エポキシ系樹脂、ポリスチレン系樹脂、ポリエチレン系樹脂、ポリプロピレン系樹脂、ポリオレフィン系樹脂、ポリウレタン系樹脂等の樹脂類、ポリイソプレンゴム、ブチルゴム、シリコンゴム、クロロプレンゴム、ニトリルゴム、ブタジエンゴム等の天然又は合成ゴムが挙げられる。透明性及び衝撃吸収性の観点から、シリコンゴム、及びスチレン−エチレン−ブチレン−スチレン（ＳＥＢＳ）エラストマー、スチレン−ブチレン−スチレン（ＳＢＳ）エラストマー、（スチレン−イソプレン−スチレン）エラストマー等のポリスチレン系透明エラストマーを用いることが好ましい。
これらの粘着性ジェルから軟質の第一ジェル体及び硬質の第二ジェル体の積層体を成形することにより、足とインソール表面の密着性が向上し、足裏がインソール表面上を滑りにくくなり、且つ、テープ等を使用しなくても、インソールが履物の中底上でずれることを防止でき、また取外しも容易となるという性質が得られる。
【００１４】
より具体的に述べると、本考案のインソールは、足裏に当接する側の部位が軟質の第一ジェル体によって成形されているので、該インソールを敷いた履物を履いた際に、足裏全体が軟質の第一ジェル体に沈み込む。これにより、インソールへの足あたりがよくなるので、履物の履き心地がよくなる。さらに、ヒール付履物に本考案のインソールを敷いて履用した場合、体重が足裏全体に分散することができ、足指の付け根及び爪先等の一部分に力が掛かり痛みが生じることを防止することができる。
【００１５】
本考案のインソールは、軟質の第一ジェル体の下側に、第一ジェル体より硬質の第二ジェル体を成形してなる。そして、第二ジェル体の下面に、ハニカム型凹構造物が形成されている。これにより、本考案のインソールを敷いた履物においては、歩行時に踵部位が接地する際に、踵が軟質の第一ジェル体に沈み込み、さらに、ハニカム型凹構造物がひしゃげることによって、踵への衝撃を緩和することができ、歩行により足が痛くなることを防止できる。そして、踵への衝撃が緩和された後、弾性体である第一ジェル体及び第二ジェル体は、履物を履いた際の形状に戻ることができ、再度衝撃を吸収することができる。
【００１６】
本考案のインソールの第一ジェル体は、上記効果が得られるように足裏全面に接するように、履物中底の形に合わせて成形することが好ましい。
一方、本考案のインソールの第二ジェル体は、第一ジェル体同様に履物中底の形に合わせて成形してもよく、あるいは、例えば、踵部分及び土踏まず部分の足裏形状に合わせて成形することもできる。
踵の足裏形状に合わせて凹形状に第二ジェル体を成形することで、踵が第一ジェル体よりも硬質の第二ジェル体で安定化されることになる。これにより、着地時の踵への衝撃を吸収するのみでなく、着地時に踵が内外にずれることも防止できるので、足首をひねる等の事故が生じにくいものとなる。
また、土踏まず部分の形状に合わせて凸形状に第二ジェル体を成形することで、硬質の
第二ジェル体で土踏まず部を支持することができる。これにより、足裏を安定に支えることができるのみでなく、長時間履用しても土踏まず部が扁平になりにくくなる。さらに、本考案のインソールを敷いたヒール付履物を履用した場合、土踏まず部によって足裏がインソールの表面を爪先方向にずれることを防止することができ、足が爪先側に偏ることで生じる足の痛み及び外反母趾等の障害が生じにくいものとなる。
足指の付け根及び爪先部分に第二ジェル体を成形することで、足指の付け根及び爪先部分にかかる強い衝撃を吸収することが可能となる。一方、指の付け根及び爪先部分に第二ジェル体を成形しないことで、指の付け根及び爪先部分は軟質の第一ジェル体のみで形成されることになる。これにより、歩行時、特に地面をける際に湾曲する履物底の指の付け根部の動きにインソールが追従しやすくなる。また、ヒール付履物のように、履物中底の足指付け根部分にカーブを有していても、その形状に合わせてインソールを敷き易いものとなる。指の付け根及び爪先部分に第二ジェル体を形成するかは、インソールを敷く履物の用途に合わせて選択できる。
【００１７】
本考案のインソールにおける第一ジェル体の厚みは、ゴム硬度、第二ジェル体の厚み等により適宜選択でき、例えば０．５ｍｍ乃至１０ｍｍである。踵部分を厚くし爪先部分に向かって薄くすることで、足当たりが良く、且つ、インソールを敷いた履物のつま先部分がきつくならずに、踵にかかる接地時の衝撃を充分に緩和することができる。
一方、本考案のインソールにおける第二ジェル体の厚みは、ゴム硬度、ハニカム型凹構造物の深さ、第一ジェル体の厚み等により、適宜選択でき、例えば２ｍｍ乃至１０ｍｍである。これにより、足裏をしっかり支持し、かつ、踵にかかる接地時の衝撃を充分に緩和することができる。
【００１８】
軟質の第一ジェル体のゴム硬度は、充分な柔軟性及び衝撃吸収性を与える観点から、５度以上２０度未満の範囲から選択される。５度未満のゴム硬度では、履物を履いた際に足が第一ジェル体に沈み込みすぎて、第一ジェル体が相当薄肉に変形するので、歩行時に踵に強い衝撃がかかったときなど、第一ジェル体は歩行時の衝撃を緩和する能力を充分に発揮することができなくなる。２０度以上のゴム硬度では、履物を履いた際に、足が充分に第一ジェル体に沈み込むことができず、体重を足裏全体に分散することができない。
硬質の第二ジェル体のゴム硬度は、充分な足の支持性及び衝撃吸収性を与える観点から、４０度以上９０度未満の範囲から選択される。４０度未満のゴム硬度では、履物を履いただけでハニカム型凹構造物がひしゃげるものとなり、歩行時の踵にかかる衝撃を吸収する能力が低い。９０度以上のゴム硬度では、歩行時の衝撃に対してハニカム型凹構造物が充分にひしゃげることができず、衝撃を吸収する能力を充分に達成できなくなる。
ここで、ゴム硬度とはＪＩＳ  K６２５３に準じてタイプA又はEデュプロメーターによ
って測定される値である。
【００１９】
第二ジェル体の下面に形成されるハニカム型構造物としては、着地の衝撃でひしゃげるが、その弾性により元の形状に復原することにより、衝撃を緩和する能力を充分に発揮する範囲内で、ジェル体のゴム硬度、ハニカム型凹構造物の骨格壁の厚さ、骨格の対角距離、ハニカム型凹構造物の深さを適宜調節できる。例えば、骨格壁の厚さを０．５乃至２．５ｍｍ、骨格の対角距離を３．０乃至８．０ｍｍ、深さを１．０乃至５．０ｍｍ等に形成したハニカム凹型構造物があげられる。
また、第二ジェル体の下面には、正六角形構造が連続したハニカム型凹構造物に限らず、衝撃緩衝能を有する範囲で、例えば、正方形、正三角形、平行六角形等の構造が連続した凹構造物を形成してもよい。
【００２０】
また、本考案に係るインソールには、インソールを貫通する孔を穿設し、この貫通孔の近くにインソール裏面側に隆起部を設けることができる。本考案のインソールを敷いた履物においては、この隆起部によりインソールの裏面と履物中底の上面間に隙間ができ、そ
の隙間とつながった貫通孔によって、インソールの表裏間で空気及び湿気が流通可能となり、履用時の快適性が向上する。
【００２１】
貫通孔としては、例えば、足指の付け根部位から爪先部位に渡って、開口部が１乃至６ｍｍの円形の貫通孔を１０乃至３０ｍｍ間隔で穿設することができる。これにより、衝撃吸収性及び安定性を損なわずに、履物中の空気及び湿気が流通可能となる。
貫通孔の開口部は、円形、多角形、文字形状及び図柄形状等の開口にしてもよい。
【００２２】
インソール下面の貫通孔の近傍に突設された隆起部としては、例えば、短径：長径が２ｍｍ：４ｍｍから６ｍｍ：２０ｍｍ、高さ１ｍｍ乃至５ｍｍの半楕円球体等を１０ｍｍ乃至３０ｍｍ間隔及び貫通孔から５ｍｍ乃至２０ｍｍの範囲で、その長径を履物の踵から先端部方向に沿って突設することができる。これにより、貫通孔と繋がるインソールと履物の中底の間に間隙を生じ、且つ、爪先部に体重が移動した際にインソールが沈み込むことで不安定になることがなく歩行の妨げにならず、また歩行時に履物の爪先部及び指の付け根部が湾曲したとしても、隙間を保つことができる。
【００２３】
さらに、本考案のインソールには、その表面に複数の凸部を設けることができる。インソールを敷いた履物の履用時には、この凸部により、足裏とインソール表面との摩擦係数が増加するため、足裏の滑りが防止でき、履物の中で足がずれたりすることによる歩行時の不快感や靴擦れが生じることを防止することができる。特に、ヒール付の履物に本考案のインソールを敷いて履用した場合、この凸部により足が爪先方向に向かって滑り、足先が履物の爪先側に偏りすぎてしまうことを防止できるため、足が爪先側に偏ることで生じる足の痛み及び外反母趾等の障害が生じにくくなる。
【００２４】
本考案のインソールの表面には、特に足裏に強い力が掛かる部分に沿って凸部を配置することが望ましい。一般に、歩行時の足裏には、まず着地する踵部、次いで体重の移動する土踏まず部、そして地面をける足指の付け根の拇指側及び拇指部に力がかかるので、インソール表面の上記部位に大きいサイズの凸部を突設することで滑りを防止することが望ましい。
また、インソールの第二指乃至第五指側は、歩行時に強い力が掛からないため、小さいサイズの凸部を突設することで、充分に静止時に足が滑って前にずれるのを防止することができる。また、小指側は履物の履用時に露出しやすい部分であるので、凸部は小さいサイズの方がファッション性の観点から好ましい。
【００２５】
例えば、大きなサイズの凸部としては直径２乃至６ｍｍ、高さ１乃至３ｍｍの半球体、及び小さなサイズの凸部としては直径１乃至３ｍｍ、高さ０．５乃至２ｍｍの半球体をインソール表面に突設することで、履用時に足裏への刺激が少なく、違和感なく、足の滑り止め効果を奏することができる。
【００２６】
また、本考案のインソールは透明又は半透明であるため、第一ジェル体の下面と第二ジェル体の上面との間に、会社名又は製品名等を文字及び図柄で示した識別マーカーを配置することができる。
これにより、その表面に識別マーカーを直接付したインソールに比べて見栄えがよくなる。また、識別マーカーが直接足裏に触れないため、良好な履き心地が得られる点でも好ましい。
【００２７】
また、本考案のインソールは、インソールを履物のサイズに合わせてカットする際の目安となるガイドラインを爪先側の縁に沿って、間隔を置きながら複数本設けることができる。これにより、履物のサイズに合わせて、容易に大きさを調節できる。
【実施例】
【００２８】
以下の例で本発明をより詳細に説明するが、これらの例は本考案をある特定の態様に制限することを意図しない。
【００２９】
＜実施例１＞
本考案の実施態様の１つとしてのヒール付サンダル用のインソールを図面に従って説明する。
図１及び図２に示すように、本実施例のインソール１は、履物の輪郭に沿って成形された透明な軟質のスチレン−エチレン−ブチレン−スチレン（ＳＥＢＳ）エラストマーからなる第一ジェル体２と、踵の凹形状及び土踏まずのアーチ形状に沿って成形された、透明な第一ジェル体より硬質のシリコンゴムからなる第二ジェル体３とから構成されている。
第二ジェル体３は厚みを４ｍｍに、第一ジェル体２は踵部位の厚みを５ｍｍ、土踏まず部位の厚みを４ｍｍ、爪先部位の厚みを２ｍｍと、踵から爪先にかけて徐々に薄くなるように成形されている。そして、第二ジェル体３には正六角形のハニカム型凹構造物４が連なって成形されている。このハニカム型凹構造物４は、骨格壁の厚さ１１が１．２ｍｍ、骨格の対角距離１２が５．５４ｍｍ（図５参照）及び深さｈが２ｍｍ（図４（ｄ）参照）である。
図２（ａ）及び図４（ａ）に示したように、第一ジェル体２の爪先及び指の付け根部分の裏面には短径４ｍｍ、長径１１ｍｍ、高さ１．５ｍｍの半楕円球体の隆起部６を突設した。図２（ｂ）及び図４（ｂ）に示したように、第一ジェル体２には、指の付け根部分から爪先部にわたって直径４ｍｍの貫通孔５が穿設されている。
また、第一ジェル体２の表面には、図２（ｂ）及び図４（ｂ）に示したように、第五指の付け根及び第二乃至第五指の爪先にわたって、直径２ｍｍ、高さ１．２ｍｍの半球体の小さいサイズの凸部７を設け、及びのこりの表面には直径３．５ｍｍ、高さ１．５ｍｍの半球体の大きいサイズの凸部８が突設されている。本実施例において、貫通穴５、隆起部６、凸部７及び凸部８は夫々が規則正しく配置されているが、模様のように配列してインソール表面をデザインすることも可能である。
図２（ｂ）、図３及び図４（ｄ）に示したように、第二ジェル体３の上面と第一ジェル体２の下面の間に、製品名及びサイズを記載したポリプロピレン製の識別マーカー９が埋設されている。
図２（ａ）、（ｂ）に示したように、足底のサイズに合わせて切り取ることでサイズを調節可能なカットライン１０が０．５ｃｍの間隔で設けられている。
【００３０】
実施例１で製造されたインソール１をインソール部位が露出したサンダルの中底上面に敷いても見栄えは損なわれなかった。また、実施例１のインソール１は、近目からは識別マーカーに記載されたの製品名及びサイズがはっきり読めるが、遠目からは識別マーカーが付されていることが見えにくいものであった。
実施例１で製造されたインソールを敷いたヒール付サンダルを履いたとき、足裏がインソール１に沈み込み、足当たりが良く足裏全体で体重を支えることができた。
また、歩行した場合、着地時に踵に掛かる衝撃が少なく、安定して足を運べた。
さらに、足がインソール表面を滑らず、拇指及び小指がサンダルのベルトによって、強く締めつけられることはなかった。
そして、上記サンダルを履用して歩行した場合、実施例１では足の蒸れを感じなかった。
【産業上の利用可能性】
【００３１】
本考案のインソールは履物、特にヒールの付いたサンダル、ミュール、パンプス等に好適に使用できる。
【符号の説明】
【００３２】
１．インソール
２．第一ジェル体
３．第二ジェル体
４．ハニカム型凹構造物
５．通気孔
６．隆起部
７．小さいサイズの凸部
８．大きいサイズの凸部
９．識別マーカー
１０．カットライン
１１．骨格の厚さ
１２．骨格の対角距離
【図１】
0003166083.tif 000003
【図２】
0003166083.tif 000004
【図３】
0003166083.tif 000005
【図４】
0003166083.tif 000006
【図５】
0003166083.tif 000007